【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
所定数より多いアンテナポートを用いて移動局と通信する基地局であって、
所定数以下のアンテナポートについて規定されたチャネル状態情報測定用の参照信号の第１のマッピングを組み合わせることにより、前記所定数より多いアンテナポートについてのチャネル状態情報測定用の参照信号の第２のマッピングを生成し、前記生成された第２のマッピングを示す情報を移動局に通知するマッピング情報通知部と、
前記生成された第２のマッピングに従ってチャネル状態情報測定用の参照信号をリソースエレメントに多重する多重部と、
前記チャネル状態情報測定用の参照信号を送信する送信部と、
を有する基地局。
【請求項２】
前記所定数より多いアンテナポートのチャネル状態情報測定用の参照信号が多重されるリソースエレメントにおいて、各アンテナポート番号のチャネル状態情報測定用の参照信号は、予め決められた規則に従って決定された位置にマッピングされる、請求項１に記載の基地局。
【請求項３】
所定数より多いアンテナポートを有する基地局と通信する移動局であって、
所定数以下のアンテナポートについて規定されたチャネル状態情報測定用の参照信号の第１のマッピングを組み合わせることにより生成された、前記所定数より多いアンテナポートについてのチャネル状態情報測定用の参照信号の第２のマッピングを示す情報を受信するマッピング情報受信部と、
前記受信した第２のマッピングを示す情報に基づいて、チャネル状態情報測定用の参照信号を抽出する参照信号抽出部と、
前記抽出された参照信号を用いてチャネル状態情報を生成するチャネル状態情報生成部と、
前記生成されたチャネル状態情報を送信する送信部と、
を有する移動局。
【請求項４】
前記所定数より多いアンテナポートのチャネル状態情報測定用の参照信号が多重されるリソースエレメントにおいて、各アンテナポート番号のチャネル状態情報測定用の参照信号は、予め決められた規則に従って決定された位置にマッピングされる、請求項３に記載の移動局。
【請求項５】
所定数より多いアンテナポートを用いて移動局と通信する基地局における参照信号送信方法であって、
所定数以下のアンテナポートについて規定されたチャネル状態情報測定用の参照信号の第１のマッピングを組み合わせることにより、前記所定数より多いアンテナポートについてのチャネル状態情報測定用の参照信号の第２のマッピングを生成し、前記生成された第２のマッピングを示す情報を移動局に通知するステップと、
前記生成された第２のマッピングに従ってチャネル状態情報測定用の参照信号をリソースエレメントに多重するステップと、
前記チャネル状態情報測定用の参照信号を送信するステップと、
を有する参照信号送信方法。
【請求項６】
所定数より多いアンテナポートを有する基地局と通信する移動局におけるチャネル品質測定方法であって、
所定数以下のアンテナポートについて規定されたチャネル状態情報測定用の参照信号の第１のマッピングを組み合わせることにより生成された、前記所定数より多いアンテナポートについてのチャネル状態情報測定用の参照信号の第２のマッピングを示す情報を受信するステップと、
前記受信した第２のマッピングを示す情報に基づいて、チャネル状態情報測定用の参照信号を抽出するステップと、
前記抽出された参照信号を用いてチャネル品質を測定するステップと、
を有するチャネル品質測定方法。
【手続補正２】
【補正対象書類名】明細書
【補正対象項目名】００１４
【補正方法】変更
【補正の内容】
【００１４】
本発明の一形態に係る基地局は、
所定数より多いアンテナポートを用いて移動局と通信する基地局であって、
所定数以下のアンテナポートについて規定されたチャネル状態情報測定用の参照信号の第１のマッピングを組み合わせることにより、前記所定数より多いアンテナポートについてのチャネル状態情報測定用の参照信号の第２のマッピングを生成し、前記生成された第２のマッピングを示す情報を移動局に通知するマッピング情報通知部と、
前記生成された第２のマッピングに従ってチャネル状態情報測定用の参照信号をリソースエレメントに多重する多重部と、
前記チャネル状態情報測定用の参照信号を送信する送信部と、
を有することを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本発明の一形態に係る移動局は、
所定数より多いアンテナポートを有する基地局と通信する移動局であって、
所定数以下のアンテナポートについて規定されたチャネル状態情報測定用の参照信号の第１のマッピングを組み合わせることにより生成された、前記所定数より多いアンテナポートについてのチャネル状態情報測定用の参照信号の第２のマッピングを示す情報を受信するマッピング情報受信部と、
前記受信した第２のマッピングを示す情報に基づいて、チャネル状態情報測定用の参照信号を抽出する参照信号抽出部と、
前記抽出された参照信号を用いてチャネル状態情報を生成するチャネル状態情報生成部と、
前記生成されたチャネル状態情報を送信する送信部と、
を有することを特徴とする。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
本発明の一形態に係る参照信号送信方法は、
所定数より多いアンテナポートを用いて移動局と通信する基地局における参照信号送信方法であって、
所定数以下のアンテナポートについて規定されたチャネル状態情報測定用の参照信号の第１のマッピングを組み合わせることにより、前記所定数より多いアンテナポートについてのチャネル状態情報測定用の参照信号の第２のマッピングを生成し、前記生成された第２のマッピングを示す情報を移動局に通知するステップと、
前記生成された第２のマッピングに従ってチャネル状態情報測定用の参照信号をリソースエレメントに多重するステップと、
前記チャネル状態情報測定用の参照信号を送信するステップと、
を有することを特徴とする。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
本発明の一形態に係るチャネル品質測定方法は、
所定数より多いアンテナポートを有する基地局と通信する移動局におけるチャネル品質測定方法であって、
所定数以下のアンテナポートについて規定されたチャネル状態情報測定用の参照信号の第１のマッピングを組み合わせることにより生成された、前記所定数より多いアンテナポートについてのチャネル状態情報測定用の参照信号の第２のマッピングを示す情報を受信するステップと、
前記受信した第２のマッピングを示す情報に基づいて、チャネル状態情報測定用の参照信号を抽出するステップと、
前記抽出された参照信号を用いてチャネル品質を測定するステップと、
を有することを特徴とする。
【手続補正９】
【補正対象書類名】明細書
【補正対象項目名】００２１
【補正方法】削除
【補正の内容】